(57)【要約】【課題】  ゴルフボールの表面に簡単な表示をしておくことにより、ゴルファーのショット能力を高めることができるゴルフボールのライン引き具を提供する。【解決手段】  ゴルフボールの表面の略半周の長さを有したシート体２の中央部２ａに、このシート体２の長さ方向に沿って直線状の長孔３を形成し、この長孔３の延長方向における前記シート体２の両端部に、このシート体２を前記ゴルフボールの表面に密着して保持する押さえ部２ｂ，２ｃを設けてなる。【選択図】      図１
0003105661.tif 000002
【実用新案登録請求の範囲】
【請求項１】
ゴルフボールの表面の略半周の長さを有したシート体の中央部に、このシート体の長さ方向に沿って直線状の長孔を形成し、この長孔の延長方向における前記シート体の両端部に、このシート体を前記ゴルフボールの表面に密着して保持する押さえ部を設けてなるゴルフボールのライン引き具。
【請求項２】
前記シート体が通常は平滑な形状をし、使用時にはシート体の曲率半径が、前記ゴルフボールの曲率半径に略等しく曲がるように形成されてなることを特徴とする請求項１に記載のゴルフボールのライン引き具。
【請求項３】
前記長孔の両端の延長方向に、小孔が数個形成されてなることを特徴とする請求項１または２に記載のゴルフボールのライン引き具。
【請求項４】
前記シート体が、トランプのクローバやダイヤ等のマーク形に形成されてなることを特徴とする請求項１に記載のゴルフボールのライン引き具。
【請求項５】
ゴルフボールの表面の略半周の長さを有したシート体の中央部に、このシート体の長さ方向に沿って直線状の長孔を形成し、この長孔の延長方向における前記シート体の両端部に、このシート体を前記ゴルフボールの表面に密着して保持する押さえ部を設け、押さえ部の端部に表面に膨出状に形成された指掛け部が形成されてなるゴルフボールのライン引き具。
【請求項６】
前記指掛け部の中央部が谷部に形成されてなることを特徴とする請求項５に記載のゴルフボールのライン引き具。
【考案の詳細な説明】
【技術分野】
【０００１】
本考案は、ゴルフボールのショット能力向上に係り、特に、ゴルフボールの表面にショット用の表示を施すゴルフボールのライン引き具に関するものである。
【背景技術】
【０００２】
ゴルフは、ゴルファーがパターやティー等のゴルフクラブでゴルフボールをショットし、グリーンのホールに入れてプレイするが、ゴルファーの目標とする方向にゴルフボールをショットできない難しさが伴う。
このため、ゴルフクラブの改善がなされ、多種多様なゴルフクラブがゴルファーに提供されている。
また、ゴルフボールにおいても、許容値内で芯の材質を変えたり、ディンプル数を変更する等により飛距離を伸ばす工夫がなされている。
【考案の開示】
【考案が解決しようとする課題】
【０００３】
ところで、このゴルフプレイにおいて、ゴルファーの目標とする方向にゴルフボールをショットするには、身体の向きを最適の方向に向け、ゴルフクラブを一定の方向に正確にスイングし、そしてゴルフクラブをスイングしたときにゴルフボールの中心を打撃することなどが要求される。
しかし、ゴルフボールは、ティグラウンド、コースあるいはグリーン上に置いた状態で身体を打球方向と平行に保ちながらボール上方から見下ろすようにして打球方向を決めるため、ボールの打球方向に対して身体が正確に位置しているか否か、あるいはスイングが打球方向に対して一定の方向に行われているかなどを確認することは熟練を要するもので、表面全体にディンプルの凹凸があるだけで、スイングの目印とするものが何もないため、ゴルフボールの中心を打撃するのも難しいことも加わって、思うようにショットの方向が定まらないものであった。
【０００４】
本考案は、上記のような課題を解決するためになされたもので、ゴルフボールの表面に簡単な表示をしておくことにより、ゴルファーのショット能力を高めることができるゴルフボールのライン引き具を提供することを目的としている。
【課題を解決するための手段】
【０００５】
上記目的を達成するため、本発明のゴルフボールのライン引き具は、ゴルフボールの表面の略半周の長さを有したシート体の中央部に、このシート体の長さ方向に沿って直線状の長孔を形成し、この長孔の延長方向における前記シート体の両端部に、このシート体を前記ゴルフボールの表面に密着して保持する押さえ部を設けてなる。
また、前記シート体が通常は平滑な形状をし、使用時にはシート体の曲率半径が、前記ゴルフボールの曲率半径に略等しく曲がるように形成されてなることを特徴とする。
また、前記長孔の両端の延長方向に、小孔が数個形成されてなることを特徴とする。
また、前記シート体が、トランプのクローバやダイヤ等のマーク形に形成されてなることを特徴とする。
【考案の効果】
【０００６】
以上説明したように本考案は、シート体をゴルフボールの表面にあてがうと押さえ部により密着保持されて、ゴルフボールの表面は長孔部分が露出状態となり、この長孔部分を筆記具、例えば、黒色の速乾性インキ等で塗り潰すと、凹凸のある表面に細い直線を確実に引くことができる。
そして、このゴルフボールをグリーンにおくとき、ショットしたい目標に向けて黒の直線を合わせておくことができ、この直線の延長方向に身体を平行に位置させやすく、ゴルフクラブのスイング軸を一致させることが容易となるので、ゴルファーがゴルフボールを目的の方向に打球することが容易となり、ゴルフボールを目標に向けてショットできる確立を高める効果がある。
【０００７】
また、前記シート体が通常は平滑な形状をし、使用時にはシート体の曲率半径が、前記ゴルフボールの曲率半径に略等しく曲がるように形成されてなるから、このゴルフボールにシート体を接して押さえ部を密着させると、長孔の周囲に隙間が生じることなく保持可能となり、この長孔を筆記具で塗り潰すと、ゴルフボールの表面に正確な直線を引くことができ、しかもシート体から手を離すと直ちにボールからシート体から離れインクがかすれるのを確実に防止でき、さらに収納に際し、小スペースにも入れておくことができる利点がある。
また、前記長孔の両端の延長方向に、小孔が数個形成されているので、小孔の何れかを筆記具で塗り潰すと、ゴルフボールの表面に任意の数の点模様を描くことができ、この点の数、あるいは点の位置の組み合わせにより持ち主を決めることにより識別が容易になる利点がある。
また、前記シート体が、トランプのクローバやダイヤ等のマーク形に形成されているので、デザイン性が豊かになり、楽しく使用することができる利点がある。
【考案を実施するための最良の形態】
【０００８】
以下、本考案に係るゴルフボールのライン引き具の実施形態について、図面を参照しながら詳述する。
図１は、本考案の一実施形態であるゴルフボールのライン引き具を示す表面図、図２は、同ゴルフボールのライン引き具を示す裏面図、図３は、同ゴルフボールのライン引き具を示す図１の左右中央縦断面図である。
このゴルフボールのライン引き具１は、細長でゴルフボール５の表面５ａの略半周の長さを有し、硬質のビニールやプラスチック、また、硬質紙等を用いたシート体２により形成されている。
【０００９】
このシート体２は、図１に示すように、シート体が通常は平滑な形状をし、使用時には図５のようにシート体の曲率半径が、前記ゴルフボール５の曲率半径に略等しく曲がるように形成されている。すなわち、通常はゴルフボールの接線方向に位置し得る形状であって、使用時には両端部の押さえ部２ｂ，２ｃを押さえる事により、ゴルフボール５の表面５ａの曲がりと、シート体２の内周面２ｄの曲がりとが略等しくなり得るように形成してある。
また、このシート体２は、図３に示す如く横断面の曲率半径を、ゴルフボール５の曲率半径に等しくなるように形成するのが好ましい。
【００１０】
そして、このシート体２は、中央部２ａの幅に対し両端部を若干幅広にして押さえ部２ｂ，２ｃを設けている。これにより、ゴルフボール５への着脱作業が容易になるうえ、表面５ａへの密着度が高められる。
押さえ部２ｂ、２ｃの端部には、表面側に膨出状に指掛け部２ｅ、２ｅが形成されており、指掛け部２ｅ、２ｅ間には谷部２ｆが形成されている。指掛け部２ｅによってシート体２をゴルフボール５に沿わせる際、指が滑らないで安定してシート体を押さえることができる。谷部２ｆが形成されていることにより、図４のように筆記具８をはさんでおくときに、筆記具８がシート体２の幅方向にずれるのが防止され、シート体２と筆記具とを常に一緒にしておくことができる。
また、このシート体２は、中央部２ａにこのシート体２の長さ方向に沿って直線状の長孔３を形成している。この長孔３は、ゴルフボール５の表面５ａにシート体２を保持したとき、表面５ａの一部を直線状に露出させるので、図４に示すような直線ライン６を描くことができる。
さらに、このシート体２は、ゴルフボール５の識別用として、長孔３の両端３ａ，３ｂの延長方向に、小孔４を３個ずつ形成している。なお、これら小孔４および長孔３は、シート体２の製作時に形成する。小孔４は左右に２個ずつでもよい。
【００１１】
ところで、このシート体２は、本例では、全長Ｌ１を８０ｍｍ、長孔３の長さＬ２を３０ｍｍ、中央部２ａの幅Ｗ１を１１ｍｍ、押さえ部２ｂ，２ｃの幅Ｗ２を２０ｍｍ、長孔３の幅Ｗ３を２ｍｍにしている。
また、小孔４の直径を１．５ｍｍまたは２ｍｍとし、小孔４の間隔は４ｍｍ程度に保っている。
【００１２】
このように構成されたゴルフボールのライン引き具１は、シート体２の押さえ部２ｂ，２ｃを把持し、図５のボールに沿う線に示すように、湾曲させてゴルフボール５の表面５ａにあてがう。
離すと、シート体２の弾性によって元の平滑な状態に戻り、表面５ａから背面２ｅが離れる。
【００１３】
押さえ部２ｂ，２ｃを押さえた状態で、ゴルフボール５は、長孔３および小孔４部分の表面５ａが露出する。そこで、長孔３の部分を、例えば、黒色の速乾性インキ等で塗り潰すと、凹凸のある表面５ａに細い直線ライン６を引くことができる。
この際、ゴルフボール５の表面５ａにシート体２の背面２ｅが密着しており、線を引いた後は手を離すことにより直ちにシート体がゴルフボールから離れるので、万一インクの乾きが不十分であっても滲みが防止され、直線ライン６を正確に描くことができる。
【００１４】
また、６個の小孔４部分のうち、何れかを様々に組み合わせて塗り潰すと、ゴルフボール５の表面５ａに任意の数の点７を適宜の組み合わせで描くことができる。この点７の数、及び位置の組み合わせは、ゴルフボール５毎に異ならせることにより、プレイ参加者それぞれの持ち主を決めておけば、ゴルフボール５の識別が容易になる。
【００１５】
このように、直線ライン６および点７を表示したゴルフボール５をショットするときは、黒の直線ライン６をショットしたい目標に向けてグリーンに置く。
これにより、ボールを見るだけで打球方向が判り、この直線ライン６の延長方向に身体を平行に位置することができ、しかもゴルフクラブのスイング軸を一致させることができるので、ゴルファーがゴルフボール５を目的の方向に向けて打撃し易くなり、ゴルフボール５を目標の方向にショットできる確立を高めることができる。
よって、従来のように、表面にディンプルの凹凸しか表示されていないゴルフボール５に比してゴルファーの目標に向けてのショット能力が向上する。
【００１６】
図８は、他の実施例に係るゴルフボールのライン引き具を示す平面図である。
このゴルフボールのライン引き具２１は、シート体２２をトランプのクローバに似せた形状にしており、４個の押さえ部２２ｂ〜２２ｅを有している。このシート体２２も、全長を８０ｍｍにしてあり、中央部２２ａに前記と同じ長孔３を設けている。
これにより、前記実施の形態と同様の作用、効果を奏することができる。
【００１７】
図９は、さらに他の実施例に係るゴルフボールのライン引き具を示す平面図である。
このゴルフボールのライン引き具３１は、シート体３２をトランプのダイヤに似せた形状にしており、４個の押さえ部２２ｂ〜２２ｅを有している。このシート体３２も、全長を８０ｍｍにしてあり、中央部３２ａに前記と同じ長孔３を設けている。
このように、シート体２２や２３をトランプのクローバやダイヤ等のマーク形に形成すると、デザイン性が豊かになり、楽しく使用することができる。
なお、本考案は上記の各実施形態に限定されず、本考案の趣旨を逸脱しない範囲で、種々の変更が可能である。
【図面の簡単な説明】
【００１８】
【図１】本考案の一実施形態であるゴルフボールのライン引き具を示す表面図である。
【図２】本考案の一実施形態であるゴルフボールのライン引き具を示す裏面図である。
【図３】同ゴルフボールのライン引き具を示す縦断面図である。
【図４】同ゴルフボールのライン引き具を示す横断面図である。
【図５】同ゴルフボールのライン引き具をゴルフボールに当てた状態を示す横断面図である。
【図６】同ゴルフボールのライン引き具をゴルフボールに当てた状態を示す縦断面図である。
【図７】ラインが表示されたゴルフボールの平面図である。
【図８】他の実施例に係るゴルフボールのライン引き具を示す平面図である。
【図９】さらに、他の実施例に係るゴルフボールのライン引き具を示す平面図である。
【符号の説明】
【００１９】
２      シート体
２ａ    中央部
２ｂ    押さえ部
２ｃ    押さえ部
３      長孔
【図１】
0003105661.tif 000003
【図２】
0003105661.tif 000004
【図３】
0003105661.tif 000005
【図４】
0003105661.tif 000006
【図５】
0003105661.tif 000007
【図６】
0003105661.tif 000008
【図７】
0003105661.tif 000009
【図８】
0003105661.tif 000010
【図９】
0003105661.tif 000011